(57)【特許請求の範囲】
【請求項１】
屋根若しくは屋根板材に固定可能な固定部を有する金具本体に、ソーラーパネルや融雪装置やそれらの取付用ラックなどの屋根上設置物を取付可能な取付ボルトを突設した屋根上設置物取付金具において、前記金具本体に、この金具本体に対して前記取付ボルトをスライド移動可能とするスライド機構を設け、このスライド機構は、前記金具本体の上部に平坦板部を設け、この平坦板部に前記取付ボルトを貫通状態に取付し得る貫通孔を貫通形成し、この貫通孔の孔形状の設定によってこの貫通孔に貫通した取付ボルトが所定方向にスライド移動可能となるように構成し、前記平坦板部の下部にガイド板を付設し、このガイド板に前記貫通孔と連通する貫通孔と同形状のガイド孔を貫通形成すると共に、このガイド孔の周囲のガイド板上面と貫通孔の周囲の平坦板部下面との間にガイド空隙を設けて、この貫通孔に沿って設けられるガイド空隙をスライドガイド部とし、このスライドガイド部に、前記取付ボルトを取付可能な板状のスライド体をスライド移動可能に設けてこのスライド体に取付した取付ボルトを前記貫通孔より突設し、このスライド体は、前記貫通孔及び前記ガイド孔と連通する雌螺子孔を貫通形成して、この雌螺子孔にガイド孔から前記取付ボルトを螺着取付することで貫通孔より取付ボルトを突設すると共に、この雌螺子孔の孔縁部に下方へ筒状に垂下する垂下筒部を設け、この垂下筒部を前記ガイド孔内に位置するように設けて、この垂下筒部がガイド孔に沿ってスライド移動することでスライド体に取付した取付ボルトが貫通孔に沿って所定方向にスライド移動可能となるように構成したことを特徴とする屋根上設置物取付金具。
【発明の詳細な説明】
【技術分野】
【０００１】
本発明は、建物の屋根上にソーラーパネルや融雪装置などの設置物を設置するための屋根上設置物取付金具に関するものである。
【背景技術】
【０００２】
従来から、屋根上にソーラーパネルや融雪装置などの設置物を設置するための設置物取付金具が実施されている。
【０００３】
この種の屋根上設置物取付金具は、取付する屋根の形状によって異なるが、一般的には、屋根板材に固定可能な締付ボルトなどによる締付固定部を備えた金具本体の上部に、ソーラーパネルや融雪装置やそれらの取付用ラックなどの屋根上設置物を取付し得る取付ボルトが突設された構成である（例えば、特許文献１参照。）。
【先行技術文献】
【特許文献】
【０００４】
【特許文献１】特開２０００−２３４４２３号公報
【発明の概要】
【発明が解決しようとする課題】
【０００５】
この種の屋根上設置物取付金具は、屋根上設置物の取付作業にあたって取付ボルトと設置物の取付位置とが合わなかった場合には、屋根上設置物取付金具を一旦屋根板材に対して固定解除し、位置を是正した上で再度固定し直すようにしなければならないため、非常に手間がかかった。
【０００６】
本発明は、このような従来の屋根上設置物取付金具の問題点に注目し、これを解決しようとするもので、屋根上に固定した後、固定解除せずとも取付ボルトの位置を是正可能で作業効率が飛躍的に向上する画期的な屋根上設置物取付金具を提供するものである。
【課題を解決するための手段】
【０００７】
添付図面を参照して本発明の要旨を説明する。
【０００８】
屋根１若しくは屋根板材２に固定可能な固定部３を有する金具本体４に、ソーラーパネルや融雪装置やそれらの取付用ラック５Ａなどの屋根上設置物５を取付可能な取付ボルト６を突設した屋根上設置物取付金具において、前記金具本体４に、この金具本体４に対して前記取付ボルト６をスライド移動可能とするスライド機構７を設け、このスライド機構７は、前記金具本体４の上部に平坦板部11を設け、この平坦板部11に前記取付ボルト６を貫通状態に取付し得る貫通孔８を貫通形成し、この貫通孔８の孔形状の設定によってこの貫通孔８に貫通した取付ボルト６が所定方向にスライド移動可能となるように構成し、前記平坦板部11の下部にガイド板19を付設し、このガイド板19に前記貫通孔８と連通する貫通孔８と同形状のガイド孔20を貫通形成すると共に、このガイド孔20の周囲のガイド板19上面と貫通孔８の周囲の平坦板部11下面との間にガイド空隙９を設けて、この貫通孔８に沿って設けられるガイド空隙９をスライドガイド部９とし、このスライドガイド部９に、前記取付ボルト６を取付可能な板状のスライド体10をスライド移動可能に設けてこのスライド体10に取付した取付ボルト６を前記貫通孔８より突設し、このスライド体10は、前記貫通孔８及び前記ガイド孔20と連通する雌螺子孔21を貫通形成して、この雌螺子孔21にガイド孔20から前記取付ボルト６を螺着取付することで貫通孔８より取付ボルト６を突設すると共に、この雌螺子孔21の孔縁部に下方へ筒状に垂下する垂下筒部22を設け、この垂下筒部22を前記ガイド孔20内に位置するように設けて、この垂下筒部22がガイド孔20に沿ってスライド移動することでスライド体10に取付した取付ボルト６が貫通孔８に沿って所定方向にスライド移動可能となるように構成したことを特徴とする屋根上設置物取付金具に係るものである。
【発明の効果】
【０００９】
本発明は上述のように構成したから、スライド機構により金具本体に対して取付ボルトをスライド移動させることができ、これにより取付ボルトと屋根上設置物の取付位置とが合わない場合には、取付ボルトを適正位置にスライド移動させて屋根上設置物の取付位置に合わせることができ、従って、従来の屋根上設置物取付金具のように、一旦屋根板材に対し固定解除して位置を是正した上で再度固定し直すような手間がなく、屋根上設置物の屋根上への設置作業性が著しく向上する極めて実用性に優れた画期的な屋根上設置物取付金具となる。
【００１０】
また、本発明においては、前記金具本体の上部に平坦板部を設け、この平坦板部に前記取付ボルトを貫通状態に取付し得る貫通孔を貫通形成し、この貫通孔の孔形状の設定によってこの貫通孔に貫通した取付ボルトが所定方向にスライド移動可能となるように構成し、前記平坦板部の下部に前記貫通孔に沿ってスライドガイド部を設け、このスライドガイド部に、前記取付ボルトを取付可能な板状のスライド体をスライド移動可能に設けてこのスライド体に取付した取付ボルトを前記貫通孔より突設したから、前記作用・効果を確実に発揮するスライド機構を簡易に設計実現可能となる一層実用性に優れた屋根上設置物取付金具となる。
【図面の簡単な説明】
【００１１】
【図１】実施例１を示す斜視図である。
【図２】実施例１を示す取付ボルトを省略した別角度からの斜視図である。
【図３】実施例１の使用状態を示す説明正面図である。
【図４】実施例１のスライド機構を示す部分拡大説明正断面図である。
【図５】実施例１のスライド機構を示す部分説明側断面図である。
【図６】構成例のスライド機構を示す部分拡大説明正断面図である。
【図７】実施例２を示す斜視図である。
【図８】実施例３を示す斜視図である。
【発明を実施するための形態】
【００１２】
好適と考える本発明の実施形態を、図面に基づいて本発明の作用を示して簡単に説明する。
【００１３】
固定部３を屋根１若しくは屋根板材２に固定することで、本発明品を屋根１上に固定することができ、この屋根１上に固定した本発明品の取付ボルト６を利用して、ソーラーパネルや融雪装置やそれらの取付用ラック５Ａなどの屋根上設置物５を屋根１上に取付することができる。
【００１４】
また、この際、スライド機構７により金具本体４に対して取付ボルト６をスライド移動させることができるので、取付ボルト６と屋根上設置物５の取付位置とが合わない場合には、取付ボルト６を適正位置にスライド移動させて屋根上設置物５の取付位置に合わせることができる。
【００１５】
従って、従来までの屋根上設置物取付金具にあっては、取付ボルト６と屋根上設置物５の取付位置とが合わない場合に、一旦屋根板材２に対して固定解除し位置を是正した上で再度固定し直さなければならなかったが、本発明によればこのような煩わしい是正作業は不要であり、屋根上設置物５の屋根１上への設置作業性が著しく向上することになる。
【実施例１】
【００１６】
本発明の具体的な実施例１について図１〜図５に基づいて説明する。
【００１７】
本実施例は、瓦棒葺屋根１に対して固定可能な構成としたもので、金具本体４の下部左右に瓦棒12の上部左右の折り返し接合板部13に固定可能な固定部３を設け、金具本体４の上部にソーラーパネルや融雪装置やそれらの取付用ラック５Ａなどの屋根上設置物５を取付可能な取付ボルト６を突設している。尚、図３では、取付ボルト６を利用して瓦棒葺屋根１上に取付用ラック５Ａを取付固定した場合を示している。
【００１８】
具体的には、本実施例の金具本体４は、一枚の長方形状の金属板材を略コ字形に折曲して中間の平坦板部11を上部とし、平坦板部11の左右両側から折曲突出する一対の突出板部14を下部としている。
【００１９】
そして、この金具本体４の平坦板部11に前記取付ボルト６を突設し、各突出板部14に前記固定部３を設けている。
【００２０】
また、固定部３について説明すると、各突出板部14を、夫々の中間部から先端側を対向外側に向けて水平に折曲して左右対称の略Ｌ字形に形成し、この各突出板部14の上側垂下板部14Ａから対向内側に向けて挟持用上板15を切り出し形成する一方、各突出板部14の下側水平板部14Ｂには、締付ボルト16と締付ナット17により挟持用下板18を連結した構成として、締付ボルト16と締付ナット17を締付すると、挟持用下板18が下側水平板部14Ｂに対し上昇移動してこの挟持用下板18と前記挟持用上板15との間隔が狭まり、この挟持用下板18と前記挟持用上板15とで前記瓦棒12の上部左右の折り返し接合板部13に固定可能となる構成としている。
【００２１】
本実施例では、金具本体４に、この金具本体４に対して前記取付ボルト６をスライド移動可能とするスライド機構７を設けている。
【００２２】
具体的には、スライド機構７は、金具本体４の前記平坦板部11に、前記取付ボルト６を貫通状態に取付し得る貫通孔８を形成すると共に、この貫通孔８を金具本体４の前後方向に長さを有する長孔形状に形成して、この貫通孔８に沿って取付ボルト６を金具本体４の前後方向にスライド移動可能な構成としている。
【００２３】
また、この平坦板部11の下面部に前記貫通孔８に沿ってスライドガイド部９を設け、このスライドガイド部９に、前記取付ボルト６を取付可能なスライド体10をスライド移動可能に設けている。
【００２４】
更に詳しく説明すると、平坦板部11の下面部にガイド板19を重合状態に付設（カシメ29止め）している。また、このガイド板19には、中央部に前記貫通孔８と連通状態にして且つ貫通孔８と同形状（長孔形状）のガイド孔20を貫通形成すると共に、このガイド孔20の周囲部分を、平坦板部11の下面部より下方へ膨出する形状に折曲形成して、このガイド孔20周囲のガイド板19上面部と、貫通孔８周囲の平坦板部11の下面部との間にガイド空隙９を有するように設け、このガイド空隙９を前記スライドガイド部９としている。
【００２５】
一方、スライド体10は、小型の方形金属板で構成し、このスライド体10の両端部を前記前記ガイド空隙９に挿入装着することで、このスライド体10を前記貫通孔８及び前記ガイド孔20の長さ方向に沿って往復スライド移動可能に設けている。
【００２６】
また、このスライド体10への前記取付ボルト６の取付構造は、スライド体10の中央部に前記貫通孔８及び前記ガイド孔20と連通する雌螺子孔21を貫通形成し、この雌螺子孔21に下方から（ガイド孔20側から）取付ボルト６のボルト先端を螺着することで取付する構造とすると共に、この取付ボルト６を雌螺子孔21に深くねじ込むことでボルト先端を貫通孔８から金具本体４の平坦板部11より上方へ突設させている。
【００２７】
また、例えばスライド体10にバーリング加工を施すことによって雌螺子孔21の孔縁部を下方へ円筒状に垂下させると共に、この垂下筒部22を前記ガイド孔20内に位置するように設けて、この垂下筒部22とガイド孔20との関係によりスライド体10のスライド移動方向と移動範囲が規制される構成としている。
【００２８】
即ち、ガイド孔20の長さ方向に沿ってガイド孔20に許容される範囲内で垂下筒部22（スライド体10）が直線状に往復スライド移動可能となる構成であり、これによりスライド体10に取付した取付ボルト６が金具本体４の平坦板部11に対して前後方向に直線状に往復スライド移動する構成としている。
【００２９】
従って、取付ボルト６と屋根上設置物５の取付位置とが合わない場合には、取付ボルト６を適正位置にスライド移動させて屋根上設置物５の取付位置に合わせることができる。
【００３０】
そして、取付ボルト６に屋根上設置物５を取付すべく取付ボルト６に螺着した取付用ナット23を強く締め付けすると、取付ボルト６のボルト頭部６Ａがガイド板19に圧接すると共に、ガイド孔20周囲のガイド板19上面部と貫通孔８周囲の平坦板部11の下面部とがガイド空隙９のスライド体10を挟持圧接することとなってスライド体10にスライド抵抗を生じ、取付ボルト６が位置決めされて屋根上設置物４を不動状態に取付固定できる構成としている。
【００３１】
また、図面では、垂下筒部20の内周面にも螺子加工を施した（雌螺子を形成した）場合を示しており、これにより雌螺子孔21での取付ボルト６の螺着面積を広く確保してスライド体10に取付ボルト６を安定的に螺着取付できる構成としている。
【００３２】
尚、本実施例では、スライド機構７によって取付ボルト６が金具本体４に対し前後方向に直線状にスライド移動可能な構成を示したが、金具本体４に対し左右方向や斜め方向に直線状にスライド移動可能な構成としても良いし、金具本体４に対し曲線状にスライド移動可能な構成としても良いし、金具本体４に対し前後・左右方向や前後・左右・斜め方向などの多方向にスライド移動可能な構成としても良い。
【００３３】
即ち、例えば、貫通孔８（とガイド孔20）を金具本体４の左右方向に長さを有する長孔形状に形成すれば、取付ボルト６が金具本体４の左右方向に直線状にスライド移動可能なスライド機構７を構成できるし、貫通孔８（とガイド孔20）を金具本体４の斜め方向に長さを有する長孔形状に形成すれば、取付ボルト６が金具本体４の斜め方向に直線状にスライド移動可能なスライド機構７を構成できるし、貫通孔８（とガイド孔20）を曲線状の長孔形状に形成すれば、取付ボルト６が金具本体４に対し曲線状にスライド移動可能なスライド機構７を構成できる。
【００３４】
また、貫通孔８（とガイド孔20）を十文字形の孔に形成すれば、取付ボルト６が金具本体４の前後・左右方向に直線状にスライド移動可能なスライド機構７を構成できるし、貫通孔８（とガイド孔20）を中心部から長孔が４５度間隔で放射状に突出する形状の孔に形成すれば、取付ボルト６が金具本体４の前後・左右・斜め方向に直線状にスライド移動可能なスライド機構７を構成できる。
【００３５】
また、貫通孔８（とガイド孔20）を取付ボルト６のボルト径（垂下筒部22の筒径）より径大な丸孔や角孔に形成すれば、取付ボルト６が３６０度全方向に自由にスライド移動可能なスライド機構７を構成できる。
【００３６】
［構成例］
本発明の実施例でない他の構成例について図６に基づいて説明する。
【００３７】
本構成例は、前記実施例１において、スライド機構７の構成を異ならせた場合である。
【００３８】
具体的には、本構成例のスライド機構７は、前記スライド体10を省き、前記ガイド空隙９（スライドガイド部９）に前記取付ボルト６のボルト頭部６Ａをスライド移動可能に挿入装着した場合を示している。即ち、前記ガイド板19にガイド孔20を設けずにガイド空隙９を袋状に形成すると共に、このガイド空隙９が前記実施例１より大きく、ボルト頭部６Ａを挿入可能な空間となるようにガイド板19を折曲形成して、このガイド空隙９にボルト頭部６Ａがスライドガイドされるように構成している。
【００３９】
他の構成は、前記実施例１と同様である。
【実施例２】
【００４０】
本発明の具体的な実施例２について図７に基づいて説明する。
【００４１】
本実施例は、折板屋根１に対して固定可能な構成とした場合である。
【００４２】
具体的には、折板屋根１のハゼ部に締付挟持固定可能な固定部３を金具本体４に設けている。
【００４３】
更に具体的には、本実施例の金具本体４は、一枚の金属板材を略コ字状に折曲形成して構成して、その中間板部を金具本体３の上部たる平坦板部11として、この平坦板部11に前記実施例１と同様のスライド機構７と前記取付ボルト６とを設けている。
【００４４】
また、本実施例の固定部３は、金具本体４の下部左右の折曲突出板部を挟持部24としてこの各挟持部24間に締付ボルト16を架設し、この締付ボルト16のボルト先端に螺着した締付ナット17を締付回動すると、前記平坦板部11と各挟持部24の境目の折縁を介して各挟持部24が折曲されて対向間隔が狭められ、この挟持部24で折板屋根１の屋根板材２のハゼ部に締付挟持固定可能となる構成としている。
【００４５】
他の構成は、前記実施例１と同様である。
【実施例３】
【００４６】
本発明の具体的な実施例３について図８に基づいて説明する。
【００４７】
本実施例は、横葺屋根１に対して固定可能な構成とした場合である。
【００４８】
具体的には、横葺屋根１の屋根板材２の接合用折り返し板部に挟持固定可能な固定部３を金具本体４に設けている。
【００４９】
更に具体的には、本実施例の金具本体４は、一枚の金属板材を略コ字状に折曲形成して背板部25（中間の立直板部）の上下端部に下側挟持板部26と上側挟持板部27とが上下対向状態に連設する形状に構成している。
【００５０】
また、本実施例の固定部３は、金具本体４の下側挟持板部26と上側挟持板部27との間に締付ボルト16を架設してこの締付ボルト16の先端にナット12を螺着し、このナット12を締付回動すると前記背板部25が弾性変形し、下側挟持板部26と上側挟持板部27との対向間隔が狭められて、屋根板材１の接合用折り返し板部２を前記下側挟持板部26と前記上側挟持板部27とで締付挟持固定可能となる構成としている。
【００５１】
また、図示した上側挟持板部27は、中ほどに段差部28を設けて基端側（背板部25側）より突出先端側が低くなる形状に形成し、この段差部28より基端側を平坦板部11として、この平坦板部11に前記実施例１と同様のスライド機構７と前記取付ボルト６とを設け、段差部28より突出先端側に前記締付ボルト16を架設して前記固定部３を構成している。
【００５２】
他の構成は、前記実施例１と同様である。
【００５３】
尚、本発明は、実施例１〜３に限られるものではなく、各構成要件の具体的構成は適宜設計し得るものである。
【符号の説明】
【００５４】
１  屋根
２  屋根板材
３  固定部
４  金具本体
５  屋根上設置物
５Ａ  取付用ラック
６  取付ボルト
６Ａ  ボルト頭部
７  スライド機構
８  貫通孔
９  スライドガイド部
10  スライド体
11  平坦板部
19 ガイド板
20 ガイド孔
21 雌螺子部
22 垂下筒部
【図１】
0005479933.tif 000002
【図２】
0005479933.tif 000003
【図３】
0005479933.tif 000004
【図４】
0005479933.tif 000005
【図５】
0005479933.tif 000006
【図６】
0005479933.tif 000007
【図７】
0005479933.tif 000008
【図８】
0005479933.tif 000009